(57)【特許請求の範囲】
【請求項１】
水を分解してアルカリ水と酸性水を生成する電気分解装置と、
前記電気分解装置に水を供給する給水流路と、
前記アルカリ水または酸性水を急加熱により蒸気とアルカリ水または酸性水の水滴の混合体に変化させる蒸気発生噴射装置と
を備え、
前記蒸気発生噴射装置は、
電気ヒータと、
前記電気分解装置から供給されたアルカリ水または酸性水が前記電気ヒータにより加熱されて少なくともその一部が蒸発する蒸発室と、
前記蒸発室の他端に形成され、前記蒸気とアルカリ水または酸性水の水滴の混合体を蒸気圧により洗浄物へ噴射する噴射口と
を備え、前記蒸発室の容積を、前記電気ヒータにより蒸発できる水の質量体積以下にし、
前記電気ヒータの入力電力を制御可能とし、前記電気ヒータの入力電力の制御により前記蒸気と水滴の混合比を調整し、前記水滴のｐＨ値を調整することを特徴とする洗浄装置。
【請求項２】
前記蒸気発生噴射装置へ送水されるアルカリ水または酸性水の送水を選択可能としたことを特徴とする請求項１記載の洗浄装置。
【請求項３】
水を収容する容器と、
水を電気分解によりアルカリ水と酸性水を生成する電気分解装置と、
前記電気分解装置に水を供給する給水流路と、
前記容器と前記給水流路との間に配設するポンプと、
前記電気分解装置で生成したアルカリ水または酸性水を各々送水する電解水排出流路と、
前記電解水排出流路の一方に接続される蒸気発生噴射装置と
を備え、
前記蒸気発生噴射装置は、
電気ヒータと、
前記電気分解装置から供給されたアルカリ水または酸性水が前記電気ヒータにより加熱されて少なくともその一部が蒸発する蒸発室と、
前記蒸発室の他端に形成され、前記蒸気とアルカリ水または酸性水の水滴の混合体を蒸気圧により洗浄物へ噴射する噴射口と
を備え、前記蒸発室の容積を、前記電気ヒータにより蒸発できる水の質量体積以下にし、
前記容器に、水を収容する中性水入れ室とアルカリ水または酸性水を回収する電解水入れ室を形成し、前記中性水入れ室と前記ポンプを接続し、前記電解水排出流路の他方を前記電解水入れ室と接続させたことを特徴とする洗浄装置。
【請求項４】
前記容器と前記電解水排出流路の他方を接続させたことを特徴とする請求項３記載の洗浄装置。
【請求項５】
前記電気分解装置の上流側に、塩を混合した多孔質体で構成する塩供給装置を配設したことを特徴とする請求項１または３記載の洗浄装置。
【請求項６】
前記電気分解装置の電気分解電極間の電圧極性を制御する電気分解用電源制御装置を備え、
前記電気分解用電源制御装置のスイッチ切り替えにより電圧極性を制御し、アルカリ水または酸性水または中性水の生成を選択可能としたことを特徴とする請求項１または３記載の洗浄装置。
【請求項７】
前記容器と前記電解水排出流路の他方とを接続し、前記電気分解装置の電気分解電極間の電圧極性を制御する電気分解用電源制御装置を備え、
前記電気分解用電源制御装置のスイッチ切り替えにより電圧極性を制御し、アルカリ水または酸性水または中性水の生成を選択可能とし、前記電気分解用電源制御装置のスイッチの切り替えによりアルカリ水または酸性水が生成されるときの電気分解用電源制御装置のスイッチ切り替えは、各々所定時間ずつ連続して行なうことを特徴とする請求項３記載の洗浄装置。
【請求項８】
外槽内に洗濯兼脱水槽と攪拌翼を有し、前記洗濯兼脱水槽内に洗濯物を投入し、洗濯兼脱水槽内に給水を行い攪拌翼を回転させて洗濯物の洗濯洗浄を行なうものであって、
請求項１記載の洗浄装置を備え、
前記噴射口から噴射される蒸気とアルカリ水または酸性水の水滴を前記洗濯兼脱水槽内に噴射させることを特徴とする洗浄装置を利用した家電機器。
【請求項９】
前記噴射口より噴射される蒸気とアルカリ水または酸性水の水滴を前記洗濯脱水槽内に投入される洗濯物に散布し、その後洗濯脱水槽内に給水を行い前記攪拌翼を回転して洗濯物の洗濯洗浄を行なうことを特徴とする請求項８に記載の洗浄装置を利用した家電機器。
【請求項１０】
前記噴射口よりアルカリ水または酸性水の水滴の散布は、前記洗濯脱水槽を回転させながら行なうことを特徴とした請求項９記載の洗浄装置を利用した家電機器。
【請求項１１】
食器類を洗浄する洗浄槽と、前記洗浄水を噴射する噴射ノズルとを有し、前記洗浄水を前記噴射ノズルから前記食器類に噴射させて洗浄を行なうものであって、
請求項１記載の洗浄装置を備え、
前記噴射口から噴射される蒸気とアルカリ水または酸性水の水滴を前記洗浄槽内に噴射させることを特徴とする洗浄装置を利用した家電機器。
【請求項１２】
前記噴射口より噴射される蒸気とアルカリ水または酸性水の水滴を前記洗浄槽内の食器類に散布し、その後前記噴射ノズルから洗浄水を噴射して食器類の洗浄を行なうことを特徴とする請求項１１に記載の洗浄装置を利用した家電機器。
【発明の詳細な説明】
【０００１】
【産業上の利用分野】
本発明は、洗浄装置およびその洗浄装置を利用した家電機器に関するものである。
【０００２】
【従来の技術】
従来より、洗浄装置は、一般掃除、洗浄、脱脂及び殺菌などに利用されており、図１６と図１７は、例えば特開２０００−２０２３８２号公報に示された従来の携帯用クリーニング電気機器の側面図と側断面図で、ここでは従来の洗浄装置として、このクリーニング電気機器の洗浄装置で説明する。図において、７０はアーチ形をした筐体で、胴体部分７１とハンドル部分７２とを有する。胴体部分７１の内部には細長い電気フラッシュボイラー７３（ヒータ）及び出口ノズル７４が取り付けられ、ハンドル部７２は貫通開口部７５を有しユーザの手の指を受取る。７６は水貯蔵容器、７７は水フィルター区画部分で、水貯蔵容器７６及び水フィルター区画部分７７はハンドル部分７２に着脱自在に取付けられる。７８はポンプで、ボイラー７３の長手軸と並んで取付けられて、フィルター区画部分７７を介して水貯蔵容器７６の出口と接続している。７９は機器の動作を制御する操作レバー、８０はポート、８１は電源インディケータ、８２は可撓性チューブである。また、図示していないが、ボイラー２３の外側にサーモスタットが取り付けられ、ボイラー２３の温度が上昇し、所定の温度以上のままになるまでにポンプ７８の動作を阻止するように電気的に接続され、ボイラー７３が過剰に加熱されたら自動的に切ることができる。
【０００３】
次に、ボイラー７３について詳しく説明する。図１８はボイラー７３の側断面図で、ボイラー７３は埋設した加熱素子７３Ａと選択した直径の開口部を有する流量調節器７３とを具備する。これはポンピングにより発生したスチームの変化に起因して発生する圧力変動を減少させるダンパとして働く。スプリング附勢されたピストンを具備する流量制限器７４はスチームの流れを制限するように配置され、ボイラー７３のスチームの出口温度を制御する。
【０００４】
このように構成された従来の洗浄装置においては、１００℃以上に加熱されているボイラー７３に、ポンプ７８によって水貯蔵容器７６から水が送り込まれ、水が加熱される。水はボイラー７３内で１００℃以上になり、ボイラー７３中の水蒸気圧が上昇し、出口ノズル７４から水蒸気（スチーム）が噴射される。出口ノズル７４から水蒸気が噴射される際、水蒸気にならなかった温度の水を伴って出口ノズル７４からジェット状に噴出される（以下ジェット水流という）。そして、この出口ノズル７４から噴出されるジェット水流を洗浄物（図示せず）の汚れ部分に衝突させて、汚れを除去し洗浄を行う。
【０００５】
【発明が解決しようとする課題】
上記のような従来の洗浄装置では、１００℃以上という高温の水蒸気を利用して洗浄物の汚れの除去を行なっている。このような高温の水蒸気による洗浄は洗浄物の汚れが軟化し易い油汚れなどである場合には非常に効果的であるが、洗浄物の汚れがタンパク質などを含んだ汚れであった場合には、水溶性のタンパク質は不溶性物質に変性してしまい逆に汚れが落ち難くなってしまうという不具合が生じていた。さらに、洗浄物の汚れが糖分を含んだ汚れであった場合も高温の水蒸気での洗浄は糖分が不溶性のキャラメルに変性して固着してしまい、汚れが落ち難くなってしまうという問題点があった。
【０００６】
この発明は、上述のような課題を解決するためになされたもので、洗浄物の汚れの部分の変性が起こるのを防ぎ、洗浄効率の良い洗浄装置およびその洗浄装置を利用した家電機器を提供するものである。
【０００７】
【課題を解決するための手段】
この発明にかかる洗浄装置においては、水を分解してアルカリ水と酸性水を生成する電気分解装置と、前記電気分解装置に水を供給する給水流路と、前記アルカリ水または酸性水を急加熱により蒸気とアルカリ水または酸性水の水滴の混合体に変化させる蒸気発生噴射装置とを備え、前記蒸気発生噴射装置は、電気ヒータと、前記電気分解装置から供給されたアルカリ水または酸性水が前記電気ヒータにより加熱されて少なくともその一部が蒸発する蒸発室と、前記蒸発室の他端に形成され、前記蒸気とアルカリ水または酸性水の水滴の混合体を蒸気圧により洗浄物へ噴射する噴射口とを備え、前記蒸発室の容積を、前記電気ヒータにより蒸発できる水の質量体積以下にしたものであり、前記電気ヒータの入力電力を制御可能とし、前記電気ヒータの入力電力の制御により前記蒸気と水滴の混合比を調整し、前記水滴のｐＨ値を調整する。
【０００８】
また、前記蒸気発生噴射装置へ送水されるアルカリ水または酸性水の送水を選択可能としたものである。
【００１１】
また、水を収容する容器と、水を電気分解によりアルカリ水と酸性水を生成する電気分解装置と、前記電気分解装置に水を供給する給水流路と、前記容器と前記給水流路との間に配設するポンプと、前記電気分解装置で生成したアルカリ水または酸性水を各々送水する電解水排出流路と、前記電解水排出流路の一方に接続される蒸気発生噴射装置とを備え、前記蒸気発生噴射装置は、電気ヒータと、前記電気分解装置から供給されたアルカリ水または酸性水が前記電気ヒータにより加熱されて少なくともその一部が蒸発する蒸発室と、前記蒸発室の他端に形成され、前記蒸気とアルカリ水または酸性水の水滴の混合体を蒸気圧により洗浄物へ噴射する噴射口とを備え、前記蒸発室の容積を、前記電気ヒータにより蒸発できる水の質量体積以下にしたものであり、前記容器に、水を収容する中性水入れ室とアルカリ水または酸性水を回収する電解水入れ室を形成し、前記中性水入れ室と前記ポンプを接続し、前記電解水排出流路の他方を前記電解水入れ室と接続させたものである。
【００１３】
また、前記容器と前記電解水排出流路の他方を接続させたものである。
【００１４】
また、前記電気分解装置の上流側に、塩を混合した多孔質体で構成する塩供給装置を配設したものである。
【００１５】
また、前記電気分解装置の電気分解電極間の電圧極性を制御する電気分解用電源制御装置を備え、前記電気分解用電源制御装置のスイッチ切り替えにより電圧極性を制御し、アルカリ水または酸性水または中性水の生成を選択可能としたものである。
【００１６】
また、前記容器と前記電解水排出流路の他方とを接続し、前記電気分解装置の電気分解電極間の電圧極性を制御する電気分解用電源制御装置を備え、前記電気分解用電源制御装置のスイッチ切り替えにより電圧極性を制御し、アルカリ水または酸性水または中性水の生成を選択可能とし、前記電気分解用電源制御装置のスイッチの切り替えによりアルカリ水または酸性水が生成されるときの電気分解用電源制御装置のスイッチ切り替えは、各々所定時間ずつ連続して行なうものである。
【００１７】
また、外槽内に洗濯兼脱水槽と攪拌翼を有し、前記洗濯兼脱水槽内に洗濯物を投入し、洗濯兼脱水槽内に給水を行い攪拌翼を回転させて洗濯物の洗濯洗浄を行なうものであって、上記の洗浄装置を備え、前記噴射口から噴射される蒸気とアルカリ水または酸性水の水滴を前記洗濯兼脱水槽内に噴射させるものである。
【００１８】
また、前記噴射口より噴射される蒸気とアルカリ水または酸性水の水滴を前記洗濯脱水槽内に投入される洗濯物に散布し、その後洗濯脱水槽内に給水を行い前記攪拌翼を回転して洗濯物の洗濯洗浄を行なうものである。
【００１９】
また、前記噴射口よりアルカリ水または酸性水の水滴の散布は、前記洗濯脱水槽を回転させながら行なうものである。
【００２０】
また、食器類を洗浄する洗浄槽と、前記洗浄水を噴射する噴射ノズルとを有し、前記洗浄水を前記噴射ノズルから前記食器類に噴射させて洗浄を行なうものであって、水を分解してアルカリ水と酸性水を生成する電気分解装置と、前記電気分解装置に水上記の洗浄装置を備え、前記噴射口から噴射される蒸気とアルカリ水または酸性水の水滴を前記洗浄槽内に噴射させるものである。
【００２１】
また、前記噴射口より噴射される蒸気とアルカリ水または酸性水の水滴を前記洗浄槽内の食器類に散布し、その後前記噴射ノズルから洗浄水を噴射して食器類の洗浄を行なうものである。
【００２２】
【発明の実施の形態】
実施の形態１．
図１はこの発明の実施の形態１である洗浄装置を示す構成概略図である。図において、１は細型シリンダ形状の電気加熱ボイラー（特許請求の範囲でいう蒸気発生噴射装置）、２は電気加熱ボイラー１に電気を供給する電源、３は電気加熱ボイラー１のボイラー流路の下流にある噴出口、４は水を電気分解してアルカリ水と酸性水などの電解水を生成する電気分解装置、５は電気分解装置４で生成される電解水（例えばアルカリ水）で電気加熱ボイラー１の上流側で接続する電解水排出流路Ａ、６は電気分解装置４で生成される電解水（例えば酸性水）を排出する電解水排出流路Ｂ、７は電機分解装置４に水を供給するために接続されたポンプ排出流路、９はポンプ排出流路７の上流側にポンプ８を介して接続される給水流路で、水道または水槽と接続している。なお、給水流路９を水道に接続する場合はポンプ８は構成になくとも良い。
【００２３】
次に、電気加熱ボイラー１について説明する。図２は電気加熱ボイラー１の横断面図である。１０は電気加熱ボイラー１を形作るボイラーフレームで、内部に電気ヒータ１１を埋め込みんで形成される。１２はボイラーフレーム１０の内部に細型シリンダ状の空間を形成して成る蒸発室で、一端に接続される噴出口３よりも径が大きく形成され、他端には電気水排出流路Ａ５が接続される。
【００２４】
次に、電気分解装置４について説明する。図３は電気分解装置４の横断面図である。電気分解装置４は、内部に電気分解用の電極Ａ１３と電極Ｂ１４とを対面するように配設し、電極Ａ１３と電極Ｂ１４で挟まれる空間を電極Ａ側流路１５と電極Ｂ側流路１６とに二分する浸水性隔膜１９を配設して構成され、電極Ａ側流路１５及び電極Ｂ側流路１６の上流側には水を供給するポンプ排出流路７を、電極Ａ側流路１５の下流側には電解水排出流路Ａ５を、電極側Ｂ流路１６の下流側には電解水排出流路Ｂ６がそれぞれ接続される。１７は電極Ａ１３に接続する電源線Ａ、１８は電極Ｂに接続する電源線Ｂである。
【００２５】
このように構成された洗浄装置の動作について説明する。まず、ポンプ８が稼動し、水道または水槽と接続する給水流路９から図１の矢印方向に水が流入する。水はポンプ８を通りポンプ排出流路７を通過して電気分解装置４に入る。電気分解装置４に入った水は、図３に示すように、二つの流路に分かれ、一方は電極Ａ側流路１５を通り、電解水排出流路Ａ５から排出され、もう一方は電極Ｂ側流路１６を通過し、電解水排出流路Ｂ６から排出される。このとき、電極Ａ１３と電極Ｂ１４二つの電極間に、直流電圧（例えばＤＣ１０Ｖ）を印加すると、二つの電極間に電流が流れ電気分解が行なわれ、（−）極の電極の近傍にアルカリの電解水（以降アルカリ水）と（＋）極の電極の近傍に酸性の電解水（以降酸性水）が生成される。二つの電極間は、浸水性隔膜１９で二つに分けられているので、生成されたアルカリ水と酸性水は混ざることがなく、電解水排出流路Ａ５と電解水排出流路Ｂ６にそれぞれ分離されて排出される。例えば、電極Ａ１３を（−）極、電極Ｂ１４を（＋）極にすると、電解水排出流路Ａ５にはアルカリ水が排出され、電解水排出流路Ｂ６には酸性水が排出される。
【００２６】
電解水排出流路Ａ５に排出されたアルカリ水は接続されている電気加熱ボイラー１内に入る。図４（ａ）〜（ｄ）に基づき、電気加熱ボイラー１内の動作について説明する。まず、電気加熱ボイラー１内に電解水排出流路Ａ５からアルカリ水２０が入る（図４（ａ）参照）。このとき、電気加熱ボイラー１は電気ヒータ１１により１５０℃〜１８０℃に加熱されている。したがって、アルカリ水２０が急加熱されて液体から気体である蒸気Ａに変化する（図４（ｂ）参照）。このとき、１５０℃のときの飽和蒸気圧は約４．７ａｔｍ、１８０℃では９．９ａｔｍであるので、大気圧１ａｔｍに対して電気加熱ボイラー１内は４．７〜９．９倍の圧力になる。つまり、液体が蒸気に変化することで体積が４．７〜９．９倍になるということである。したがって、アルカリ水２０は急加熱されることで、体積変化を起こし（図４（ｃ）参照）、噴射口３から電気加熱ボイラー１の外に向かってジェット状態で蒸気Ａが飛び出す（図４（ｄ）参照）。
【００２７】
図４（ｄ）のアルカリ水の水蒸気の飛び出し速度について説明する。大気圧をＰ０、電気加熱ボイラー１の内圧をＰＢとし、噴射口３の圧力損失が極少であるとすると、水蒸気の飛び出す速度Ｖは、
Ｖ＝√{２・（ＰＢ−Ｐ０）／ρ０}
で表される。なお、ρ０は水蒸気の密度（１５０℃で９１９ｋｇ／ｍ３、１８０℃で８９０ｋｇ／ｍ３）である。この式より、図４（ｄ）のアルカリ水の水蒸気の飛び出し速度を計算すると、電気加熱ボイラー１の温度が１５０℃のとき約２８．６ｍ／ｓｅｃ、１８０℃のとき約４４．３ｍ／ｓｅｃとなり、かなりの高速度で飛び出すことになる。
【００２８】
このような電気加熱ボイラー１の構造は、液体を急加熱することで起こる急激な体積膨張を利用して蒸気を噴射する構造であり、航空機などに搭載されているジェットエンジンなどと類似した特色を持つため、スチームジェットボイラーなどと呼ばれることがある。（尚、航空機などのジェットエンジンは、空気と混合された液体燃料を瞬時に燃やして（高温化して）体積を急膨張させて噴射してジェット流れを後方に作り出す。そしてジェットの持つ慣性力を推進力とするものである。）
【００２９】
このようにして、電気加熱ボイラー１の噴射口３から飛び出す水蒸気を洗浄物に向けて噴射し衝突させることで、洗浄物に付着している汚れを水蒸気の熱で融解させ、且つ吹き飛ばして洗浄を行なう。このとき、洗浄物に付着しているタンパク質や糖分の汚れはアルカリ水と化学反応を起こし軟化溶融する。したがって、水蒸気の高温の熱によってタンパク質や糖分が硬化することがなく、高い洗浄力を発揮することができる。一般に、アルカリ水のｐＨは高いほど化学反応を起こり安くなるため、電気加熱ボイラー１で噴射することで高洗浄力を発揮できる。つまり、洗浄物に油汚れがある場合においても、アルカリ水を電気加熱ボイラー１で噴射すると油とアルカリ水が反応して水溶性の石けんになり、蒸気や水滴の衝撃力のみで洗浄するよりも高い洗浄力を発揮することができる。
【００３０】
次に、電気加熱ボイラー１に給水する水の量について説明する。図５は電気加熱ボイラー１に給水する水の量による洗浄力の特性について示した特性図で、電気加熱ボイラー１のヒータ１１に１３５０Ｗのヒータを使用して水を供給したとき、ヒータ入力が１３５０Ｗにおいては水を蒸気に変えることができる流量は３６ｇ／ｍｉｎ、ヒータ入力が６７５Ｗにおいてはすべての水を蒸気に変えることができる流量は１８ｇ／ｍｉｎとなる。この結果、ヒータ入力が１３５０Ｗのとき、水の供給流量が３６ｇ／ｍｉｎよりも少ないと、供給される水はすべて蒸気と化し体積密度が小さくなり、衝突時の衝撃力が小さく洗浄力が弱くなる。一方、３６ｇ／ｍｉｎよりも多くすると蒸気になる前の状態の水滴が他の水滴が蒸気になる時の体積膨張によりボイラー１の噴射口から飛び出すことになる。そして、水滴の方が蒸気よりも体積密度も高くかつ水の魂で飛び出すので、衝突時が高くなる。しかし、供給水量を過剰に多くしすぎると、蒸気になる水がなくなるために蒸気圧が上がらず、速度が極めて遅くなり、衝突の衝撃力が得られない。したがって、ボイラー１の蒸発室１２の容積は、ヒータ入力の電力ですべて蒸気にできる水の質量体積以下にし、さらに瞬時に加熱蒸発により蒸気にするには、蒸発室１２の容積は蒸気にできる水の質量体積の１／３以下にすることが好ましく、この条件で水の供給流量をヒータ入力の電力で蒸気にできる水量の３倍以下とすることで、蒸気と水滴の混在の噴射を行なうことができる。すなわち、電気加熱ボイラー１への水の供給流量を１００ｇ／ｍｉｎ以下で使用すれば、洗浄力が高くなる。ただし、これはヒータ１１への入力が１３５０Ｗの場合であって、ヒータ１１への入力をコントロールして、蒸気と水滴の混合比を変えることもできる。
【００３１】
では、電気加熱ボイラー１への水の供給流量と電気分解装置４で生成される電解水の電解水排出流路Ａ５の排出流量を同じになるようにするには、電気加熱ボイラー１への水の供給流路（＝電解水排出流路Ａ５の排出流量）に電解水排出流路Ｂ６に排出される水量を加算した水量をポンプ８で送水する。たとえば、ポンプ８が２００ｇ／ｍｉｎの水を送水するとすれば、電気分解装置４で電気分解される電解水が酸性水とアルカリ水に二分されるとすると、電解水排出流路Ａ５に排出される流量は１００ｇ／ｍｉｎとなるので電気加熱ボイラー１への水の供給流量は１００ｇ／ｍｉｎとなる。よって、それぞれの流量を合わせた量を電気分解装置４に供給すれば、途中の流路で滞留したり、水が枯褐したりすることなく、連続して安定した量の蒸気や水滴が電気加熱ボイラー１から噴出される。
【００３２】
なお、図５の洗浄力の評価に使用した洗浄度（率）とは、ＪＩＳ電気洗濯機Ｃ９６０６洗浄試験に準拠し、洗濯物として人工汚染布（襟汚れを模擬したもの）を試験布に用いて洗浄度（％）を求められる。洗浄度（％）は反射率法により、洗浄度（％）＝（洗浄後反射率−洗浄前反射率）／（原布反射率−洗浄前反射率）×１００  の式を用いて算出されるものである。
【００３３】
次に、電気加熱ボイラー１から噴射されるアルカリ水のｐＨについて説明する。図６は、水の電気分解により生成されたアルカリ水を加熱した時のｐＨを表した図である。電気加熱ボイラー１から噴射されるアルカリ水は、電気分解装置４により電気分解されて生成されたアルカリ水を電気ヒータ１１で加熱されて噴射口３から噴射される。このように加熱されるアルカリ水のｐＨの変化を実測するため、図７に示すように、アルカリ水を入れた容器２１をバーナー２２で加熱する実験によりｐＨを実測したものが図６である。その結果、アルカリ水が加熱濃縮されると、ｐＨがアルカリ側に上昇することがわかる（図６参照）。これは、水を電気分解することで生成されたアルカリ水２３の中のＨ２Ｏ（水）２４のみが蒸発してアルカリ成分であるＯＨ−基は蒸発せずに濃縮されるためである（図７参照）。つまり、図８に示すように、電気加熱ボイラー１にアルカリの電解水が供給されて加熱され、蒸気と水滴が混在状態で噴射口３から噴射されると、Ｈ２Ｏ２４のみ蒸気として噴射され、水滴２５にはアルカリであるＯＨ−基などを濃縮した状態で噴射することができる。例えば、ｐＨ１１．７６のアルカリ水を電気加熱ボイラー１に供給して噴射口３から噴射させると、ｐＨ１２．０４のアルカリ水の水滴が洗浄物に衝突して洗浄を行なう。上述したように、アルカリ水のｐＨは高いほど化学反応が起こり易くなるため、アルカリ水をより高い洗浄力を発揮できるようにして洗浄を行なうことができる。
【００３４】
このように、洗浄物にタンパク質汚れや糖分汚れが付着している場合、電気分解装置４で生成されるアルカリ水を電気加熱ボイラー１に供給するようにし、洗浄物に噴射することで、高い洗浄力を持つ洗浄装置を得ることができる。
【００３５】
また、同様にして、電気加熱ボイラー１に酸性の電解水を供給して、加熱し、蒸気と水滴の混在状態で噴射口３から噴射させると、酸性成分であるＨ＋基を濃縮した状態で噴射することもできる。酸性水は一般に漂白や殺菌の作用があるため、その作用を高めて洗浄を行なうことができ、漂白や殺菌を行ないながら洗浄物の洗浄を行なう場合には、電気分解装置４で生成される酸性水を電気加熱ボイラー１内に供給するようにし、洗浄物に噴射して洗浄を行なえるようにしても良く、さらに、各流路途中（特に電気加熱ボイラー１の蒸発室２の中や噴射口３）には、水が蒸発するときに水に含まれる不揮発性成分であるスケール類などが流路に付着し易く、各流路に酸性水を通過させることでスケール類を酸性水で溶解することができ、スケール類の除去を行なうようにしても良い。この各流路に酸性水を通過させる動作は、電気加熱ボイラー１の電気ヒータ１１のへの通電を停止した状態で、電気分解装置４の電極Ａ１３及び電極Ｂ１４への印加電圧の極性を反転し、酸性水が生成される電極Ａ側流路１５及び電極Ｂ側流路１６を入れ替えるようにして、洗浄動作の前後や洗浄動作途中または洗浄動作の終了後に自動または手動で定期的に行なうようにして、水に含まれるスケール類が各流路に詰まることを防止することができる。このようにして、高い洗浄効果および高い殺菌効果を得ることができる。
【００３６】
また、洗浄物にタンパク質汚れや糖分汚れが付着していない場合、電気分解装置４の電極Ａ１３及び電極Ｂ１４の間への電圧印加を停止して電気分解を停止し、中性水（水道水）を電気加熱ボイラー１に供給して洗浄物に噴射して洗浄を行うように切り替えできるようにしても良い。
【００３７】
実施の形態２．
図９はこの発明の実施の形態２を示す携帯型の洗浄装置の概略構成を示す断面図である。図において、１〜１９は上記実施の形態１と同一であり、その説明は省略する。３０は電気加熱ボイラー１や電気分解装置４など洗浄装置の構成を内設し、外装を成すカバー、３１は電気加熱ボイラー１の外表面に接触配置した温度制御用サーモスタット、３２は電気ヒータ１１とポンプ８とに接続される電源及び電源制御装置、３３は給水流路９の上流側に接続される塩供給装置で、塩を含んだゼオライトなどの多孔質体が入っている。３４は塩供給装置３３の上流側に接続される給水管、３５は給水管３４の他端（上流側先端部）が内部に挿入される中性水（水道水）入れ室３６及び電解水排出流路Ｂ６と接続される電解水入れ室３７を形成する容器、３８は噴射口３の先端に接続する吹き出しノズル、３９は電気分解装置４の電源線Ａ１７及び電源線Ｂ１８に接続する電気分解用電源制御装置である。なお、塩供給装置３３及び容器３５は着脱可能に構成されている。
【００３８】
次に、このように構成された携帯用の洗浄装置の動作について説明する。まず、容器３５の中性水（水道水）入れ室３６に水道水などの中性水を予め入れておく。次に、電源及び電源制御装置３２をＯＮし、電気ヒータ１１およびポンプ８に通電し稼動させる。ポンプ８が稼動すると、中性水（水道水）入れ室３６内の中性水（水道水）は、給水管３４を経て塩供給装置３３へ通水される。中性水（水道水）が塩供給装置３３内に入ると、塩供給装置３３内部に入っている塩を含んだゼオライトなどの多孔質体の塩だけが溶け出し、塩分濃度が約０．１〜３．０％の塩水となって給水流路９からポンプ８に送水される。そして、ポンプ８に到達した塩水は、ポンプ排出路７から電気分解装置４内に送水される。電気分解装置４内では、電気分解により電解水排出流路Ａ５と電解水排出流路Ｂ６にそれぞれアルカリ水と酸性水が生成される。このとき、送水された塩水の塩が電解質であるために電気抵抗を下げることができ、電気分解装置４における電気分解の効率を良くすることができる。
【００３９】
なお、塩供給装置３３は多孔質体に塩を混ぜているので、塩が多孔質体に保持されるため塩が徐々に水に溶け出すようになっており、塩供給装置３３に一度塩を入れると長時間補充することなしに使用できる。
また、塩供給装置３３を上記実施の形態１の洗浄装置に設けても良く、本実施の形態２と同様の効果を奏することができる。
【００４０】
このようにして電気分解装置４で電気分解されて電解水排出流路Ａ５に生成されたアルカリ水または酸性水は、電解水排出流路Ａ５から電気加熱ボイラー１に入る。電気加熱ボイラー１は電気ヒータ１１により１００℃以上に加熱されており、温度は温度制御サーモスタット３１により電気ヒータ１１への電源のＯＮ−ＯＦＦによって制御する。このようにして制御される電気ヒータ１１により急激に加熱されて、蒸発質２内で蒸気に変化し、同時に蒸気になりきらなかったアルカリ水または酸性水の水滴を伴って、蒸気と水滴の混合状態で噴射口３から高速で噴射されて、吹き出しノズル３８から飛び出す。したがって、吹き出しノズル３８の先端を洗浄物（図示せず）の汚れに向け、蒸気と水滴の混在物を洗浄物（図示せず）の汚れに衝突させて洗浄を行なうことができる。
【００４１】
ここで、電気分解装置４の電解水排出流路Ａ５に生成させる電解水の切り替えについて説明する。電気分解装置４は、電気分解用電源制御装置３９により、電極Ａ１７と電極Ｂ１８の間に印加する電圧極性を変えることができ、用途により３つのモードを持っている。その３つのモードについてそれぞれ図１０（ａ）〜図１０（ｃ）に基づいて説明する。図において、４１は電気分解用電源制御装置３９内に設けられた半導体リレーや機械式スイッチリレーなどで構成される極性スイッチである。
【００４２】
図１０（ａ）は、電気分解用電源制御装置３９内の極性切り替えスイッチ４１がＯＦＦの状態の時であり、このときは、電気分解は停止しており、中性水の蒸気と水滴で洗浄を行なうことができる。このとき電解水入れ室３７には中性水が貯まる。
【００４３】
図１０（ｂ）は、極性切り替えスイッチ４１がＯＮ状態の時であり、電極Ａ１３が＋極、電極Ｂ１４が−極となり、電解水排出流路Ａ５には酸性の電解水（酸性水）が生成され、酸性の蒸気と酸性の水滴の混合体で洗浄を行なうことができる。漂白や殺菌を目的として洗浄するときに使用すると良い。または、洗浄装置の各流路内のスケール類などの除去をする時に使用する。このとき、電解水入れ室３７にはアルカリ水が貯まる。
【００４４】
図１０（ｃ）は、極性切り替えスイッチ４１がＯＮ状態のときであり、電極Ａ１３が−極、電極Ｂ１４が＋極となり、電解水排出流路Ａ５にはアルカリの電解水（アルカリ水）が生成され、アルカリの蒸気とアルイカリの水滴の混合体で洗浄を行うことができる。タンパク質や糖分などの汚れを洗浄するときに効果的である。このとき、電解水入れ室３７には酸性水が貯まる。
【００４５】
このように、電解水排出流路Ａ５に生成する電解水は切り替えることができ、洗浄物（図示せず）の汚れの種類により中性水または酸性水またはアルカリ水の切り替えてを行えば効率良く洗浄を行なうことができる。洗浄対象物としては、台所まわりの汚れ、調理時のふきこぼれ、油の飛び散り、シンクの汚れ、スケール類、三角コーナーの汚れなど、油脂やタンパク質や糖分などの汚れがあり、これらに対して、アルカリ水または酸性水または中性水を切り替えて洗浄または除菌を行なう。
【００４６】
なお、電解水排出流路Ｂ６から送水されるアルカリ水または酸性水または中性水は電解水入れ室３７内に溜めておき、中性水（水道水）入れ室３６内の中性水（水道水）が無くなり補給を行なうときに排水するようにする。
【００４７】
実施の形態３．
上記実施の形態２では、容器３５内に中性水（水道水）入れ室３６と電解水入れ室３７を形成し、電気分解装置４で生成される電解水の一方（アルカリ水または酸性水）および電気分解装置４を停止して洗浄装置を使用した場合に送水される中性水を電解水入れ室３７に溜めるようにしていたが、本実施の形態３では容器３５を仕切らずにそのままで使用したものである。
【００４８】
図１１は、この発明の実施の形態３を示す携帯型の洗浄装置の概略構成を示す横断面図で、図において、１〜３５、３８、３９、４１は上記実施の形態２と同一であり、その説明は省略する。次に、洗浄動作について説明する。上記実施の形態２と同様にして、電気分解装置４で生成される電解水（アルカリ水または酸性水）または電気分解装置４を停止させて送水させる中性水を電気加熱ボイラー１で蒸気と水滴の混合体として噴射口３から噴射させて洗浄を行う。そして、電気分解装置４の電解水排出流路Ｂ６から送水される電解水（アルカリ水または酸性水）または中性水は容器３５内に入る。容器３５内には補給してあった中性水（水道水）があり、アルカリ水や酸性水が混合される状態となる。つまり、上述した図１０（ａ）〜図１０（ｃ）の電気分解用電源制御装置３９の３つのモードの切り替えが図１１において行われた場合、図１０（ａ）の場合は中性水が容器３５に送水されるので中性水のままであるが、図１０（ｂ）や図１０（ｃ）に切り替えた場合、容器３５にはアルカリ水や酸性水が送水されるため、この３つのモードの切り替えの仕方次第で容器３５内のｐＨは酸性になったり、アルカリ性になったりすることとなる。
【００４９】
そこで、電気分解用電源制御装置３９の切り替えを制御する。図１０（ｂ）の電気分解用電源制御装置３９の状態と図１０（ｃ）の電気分解用電源制御装置３９の状態の時間をそれぞれ同じとするようにすれば、容器３５内の水を中性水に保つことができる。例えば、図１０（ｂ）の電気分解用電源制御装置３９の状態を５秒間、図１０（ｃ）の電気分解用電源制御装置３９の状態を５秒間という制御を交互に繰り返しするようにし、吹き出しノズル３８から噴射される蒸気と水滴の混合体も５秒間おきに交互に酸性とアルカリ性の蒸気と水滴の混合体が噴射される。このように電気分解用電源制御装置３９の切り替えを制御することにより、洗浄物（図示せず）の汚れの成分に係わらず、タンパク質や糖分及び油脂汚れの洗浄に効果のあるアルカリ水と漂白や殺菌に効果のある酸性水が交互に噴射され、さらに容器３５の中の水を中性水に保つことができ、電気分解装置４により生成される使用しない電解水が容器３５内に戻すため上記実施の形態２と同様の容量の容器３５で多量の水を使い切るまで洗浄を行うことができ、使用しない電解水が発生しないため使い勝手も良い。
【００５０】
実施の形態４．
図１２は、この発明の実施の形態４を示す概略構成の断面図である。図において、１〜３５、３９、４１は上記実施の形態  と同一であり、その説明は省略する。４２は容器３５に外部から中性水（水道水）を連続して供給する外部水供給流路、４３は容器３５の水位を測る水位センサー、４４は水位センサー４３の信号に連動して開閉される外部水供給流路４２の経路途中にある給水弁である。
【００５１】
このように構成される洗浄装置の動作について説明する。上記実施の形態３と同様にして、洗浄動作を連続して行なうと、容器３５の中の水位が低下してくる。水位センサー４３が容器３５の水位の低下を検知すると、給水弁４４を開放させて、外部水供給流路４２から水を容器３５の中に供給する。そして、水位センサー４３は容器３５内の水位が所定水位に達したことを検知すると、給水弁４４を閉じ、容器３５への水の供給を停止する。
【００５２】
このようにして、容器３５に水の供給を行なうことによって、洗浄動作を連続して行なうことができ、さらに、容器３５内に電気分解装置４により生成される使用しない電解水が送水されて酸性やアルカリ性になっていても外部水供給流路４２から中性水（水道水）が供給されるので容器３５内の水は希釈されてｐＨの変化を最小にとどめることができる。つまり、容器３５内の水のｐＨを安定させることができ、したがって電気分解装置４から生成される電解水のｐＨも安定なものとすることができ、容易に洗浄に適したｐＨ値へのコントロールを行なうことができる。
【００５３】
このように、実施の形態４の洗浄装置は、連続給水を可能にし、さらに生成される電解水のｐＨ値を常時安定させることができるので、連続給水が必要な洗浄装置である洗濯機、食器洗浄機などの洗浄を行なう家電機器にも適用できる。
【００５４】
実施の形態５．
次に、上記実施の形態１の洗浄装置を洗い行程、すすぎ行程、脱水行程を備えた電気洗濯機に搭載した場合について説明する。図１３は、この発明の実施の形態５を示す洗浄装置を組み込んだ電気洗濯機の構成概略図で、洗濯機の一部は断面で示している。図において、１〜６、９は上記実施の形態１と同一であり、その説明は省略する。５０は給水流路９の途中に設けられた塩を含んだゼオライトなどの多孔質体が入っている塩供給装置、５１は噴射口３の下流側の開口に接続される拡散ノズル、５２は拡散ノズル５１から噴射される蒸気と水滴の混合体、５３は高速で回転する機構を有する円筒形状の洗濯脱水槽、５４は洗濯脱水槽５３内に投入される洗濯物、５５は洗濯脱水槽５４の底部に配置される洗濯機のパルセータ、５６は洗濯の際に水を貯める水槽である。
【００５５】
次に、動作について説明する。まず、水源（図示せず）と連通される給水流路９に矢印方向に中性水（水道水）が給水される。中性水（水道水）は塩供給装置３３を通過し、塩供給装置３３内部に入っている塩を含んだゼオライトなどの多孔質体の塩だけが溶け出し、塩分濃度が０．１〜０．３％の塩水となって電気分解装置４に送水される。そして、上記実施の形態１と同様にして、電気分解装置４により電気分解が行われる。電気分解により生成されたアルカリ性の電解水と酸性の電解水はそれぞれ二つの流路に分けられ、一方は電解水排出流路Ａ５に流れ、他方は電解水排出流路Ｂ６に流れて外部へ排出される。そして、電解水排出流路Ａ５に入った電解水（アルカリ水）は電気加熱ボイラー１に入る。電気加熱ボイラー１は電気ヒータ１１により１５０℃〜１８０℃にされており、電気加熱ボイラー１に入った水は急加熱され、液体から気体である蒸気に変化する。このとき、電気加熱ボイラー１に送水する流量を制御して、蒸気と電解水（アルカリ水）の水滴の混合状態にし、蒸気の圧力により噴射口３から高速で噴射させる。
【００５６】
そして、噴射口３の先端に取り付けられた拡散ノズル５１により、蒸気と電解水（アルカリ水）の水滴の混在体を洗濯脱水槽５３内に投入された洗濯物５４に向かって拡散し、蒸気と電解水（アルカリ水）の水滴を洗濯物５４に満遍なく塗布する。このとき、洗濯脱水槽５３を図１４の矢印の方向に回転させる。この洗濯脱水槽５３の回転による遠心力により、洗濯脱水槽５３の中央部にあった洗濯物５３が洗濯脱水槽５３の内壁面に張り付くようになり、洗濯脱水槽５３の中央部に洗濯物５４の隙間穴Ａができる。この隙間穴Ａを形成させることにより、拡散ノズル５１から噴射される蒸気と電解水（アルカリ水）の混合体が塗布される洗濯物５４の接触面が、隙間穴Ａにより広い面積となる。このようにして洗浄物５４に蒸気と電解水（アルカリ水）の水滴が満遍なく塗布され、さらに洗濯脱水槽５４の回転による遠心力により洗濯物５４の円周方向に蒸気と電解水（アルカリ水）の水滴は浸透される。
【００５７】
そして、洗浄物５４に浸透させた電解水（アルカリ水）は、洗浄物５４に付着しているタンパク質汚れや油脂汚れ、糖分汚れと化学反応を起こし、汚れを分解する。電解水（アルカリ水）と洗濯物５４の汚れ成分を一定時間化学反応させた後、水槽５６内に水を貯め、パルセータ５５を回転させて、洗濯物５４を攪拌して洗い行程を開始し、電解水（アルカリ水）と反応して分解された汚れ成分を洗い落とす。このようにして、洗濯物５４の汚れ成分を洗い落とし、洗い行程は終了する。
【００５８】
また、拡散ノズル５１から塗布する電解水を酸性水に切り替えて、洗浄物５４の漂白、除菌を行なうこともできる。例えば、洗濯脱水槽５３内に洗浄物５４が無い状態で、回転する洗濯脱水槽５３内に酸性水を噴射し、洗濯脱水槽５３、パルセータ５５、水槽５６に満遍なく掛け、洗濯機の除菌や防カビ対策を行うこともできる。
【００５９】
また、図１４に示すように、電解水排出流路Ｂ６の排出口を洗濯脱水槽５３と水槽５５との間の隙間から洗濯脱水槽５３の外周面に向けるようにすれば、電気分解装置４により生成されるアルカリ水は洗浄物５４の汚れ成分の洗浄に利用し、酸性水は洗濯脱水槽５３の外周面の除菌や防カビ対策に利用することができる。
【００６０】
また、図に示していないが、拡散ノズル５１の直近に洗浄物５４の汚れ箇所を置き、蒸気とアルカリ水の水滴の混合体５２を噴射して洗浄を行なう部分洗いに利用しても良い。特に、襟や袖のタンパク質汚れをアルカリ水により分解して洗浄を行なうのに効果がある。
【００６１】
なお、上記実施の形態５では、上記実施の形態１の洗浄装置を搭載したものを説明したが、実施の形態２〜４の洗浄装置であっても同様の効果を奏することができ、またドラム式洗濯機であっても同様の効果を奏することができる。
【００６２】
実施の形態６．
次に上記実施の形態１の洗浄装置を食器洗浄機に搭載したものについて説明する。図１５は、この発明の実施の形態６を示す洗浄装置を組み込んだ食器洗浄装置の構成概略図を示したものである。図において、１〜６、９、３３、５１、５２は上記実施の形態５と同一であり、その説明は省略する。６０は食器洗浄機本体、６１は食器類６２が投入される洗浄槽、６３は食器類６２に回転しながら水を噴射する回転洗浄ノスルである。
【００６３】
次に、動作について説明する。ポンプ８が稼動することにより、水道あるいは水槽と接続する給水流路９から矢印方向に中性水（水道水）が供給される。中性水（水道水）は塩供給装置３３を通過し、塩供給装置３３内部に入っている塩を含んだゼオライトなどの多孔質体の塩だけが溶け出し、塩分濃度が０．１〜０．３％の塩水となって電気分解装置４に送水される。そして、上記実施の形態１と同様にして、電気分解装置４により電気分解が行われる。電気分解により生成されたアルカリ性の電解水と酸性の電解水はそれぞれ二つの流路に分けられ、一方は電解水排出流路Ａ５に流れ、他方は電解水排出流路Ｂ６に流れて外部へ排出される。そして、電解水排出流路Ａ５に入った電解水（アルカリ水）は電気加熱ボイラー１に入る。電気加熱ボイラー１は電気ヒータ１１により１５０℃〜１８０℃にされており、電気加熱ボイラー１に入った水は急加熱され、液体から気体である蒸気に変化する。このとき、電気加熱ボイラー１に送水する流量を制御して、蒸気と電解水（アルカリ水）の水滴の混合状態にし、蒸気の圧力により噴射口３から高速で噴射させる。
【００６４】
そして、噴射口３の先端に取り付けられた拡散ノズル５１により、蒸気と電解水（アルカリ水）の水滴の混在体５２を食器類６２に拡散され、蒸気と電解水（アルカリ水）の水滴を食器類６２に満遍なく塗布する。このようにして食器類６２に塗布された電解水（アルカリ水）は、食器類６２に付着しているタンパク質汚れや油脂汚れ、糖分汚れと化学反応を起こし、汚れを分解する。電解水（アルカリ水）と食器類６２の汚れ成分を一定時間化学反応させた後、回転洗浄ノズル６３から水を噴射し、電解水（アルカリ水）と反応して分解された汚れ成分を洗い落とす。この一連の動作を１回もしくは複数回繰り返すことで食器類６２の洗浄が終了する。
【００６５】
【発明の効果】
この発明は、以上説明したように構成されているので、以下に示すような効果を奏する。
【００６６】
水を分解してアルカリ水と酸性水を生成する電気分解装置と、前記電気分解装置に水を供給する給水流路と、前記アルカリ水または酸性水を急加熱により蒸気とアルカリ水または酸性水の水滴の混合体に変化させる蒸気発生噴射装置とを備え、前記蒸気発生噴射装置は、電気ヒータと、前記電気分解装置から供給されたアルカリ水または酸性水が前記電気ヒータにより加熱されて少なくともその一部が蒸発する蒸発室と、前記蒸発室の他端に形成され、前記蒸気とアルカリ水または酸性水の水滴の混合体を蒸気圧により洗浄物へ噴射する噴射口とを備え、前記蒸発室の容積を、前記電気ヒータにより蒸発できる水の質量体積以下にしたので、水滴の衝撃力による洗浄作用と電解水の化学反応作用の両者を一度に発揮させることができるため、タンパク質や糖分の汚れが硬化して洗浄が困難になるという不具合を解消し、さらに水が蒸発するときに流路に付着するスケール類を溶かし流路が詰まることも防止し、高い洗浄効果および高い殺菌効果を得ることができる。
また、前記蒸気発生噴射装置に電気ヒータを備え、前記電気ヒータの入力電力を制御可能とし、前記電気ヒータの入力電力の制御により前記蒸気と水滴の混合比を調整し、前記水滴のｐＨ値を調整したので、蒸気発生噴射装置から噴射発生される蒸気と電気分解水の水滴との混合比を変化させることができ、洗浄物の汚れ成分に合わせてｐＨ値をコントロールして効率の良い洗浄を行なうことができる。
【００６７】
また、前記蒸気発生噴射装置へ送水されるアルカリ水または酸性水の送水を選択可能としたので、水滴の衝撃力による洗浄作用と電解水の化学反応作用の両者を一度に発揮させることができるとともに、汚れ成分に合わせてアルカリ水または酸性水のどちらかを洗濯して洗浄を行なうことができる。
【００７０】
また、水を収容する容器と、水を電気分解によりアルカリ水と酸性水を生成する電気分解装置と、前記電気分解装置に水を供給する給水流路と、前記容器と前記給水流路との間に配設するポンプと、前記電気分解装置で生成したアルカリ水または酸性水を各々送水する電解水排出流路と、前記電解水排出流路の一方に接続される蒸気発生噴射装置とを備え、前記蒸気発生噴射装置は、電気ヒータと、前記電気分解装置から供給されたアルカリ水または酸性水が前記電気ヒータにより加熱されて少なくともその一部が蒸発する蒸発室と、前記蒸発室の他端に形成され、前記蒸気とアルカリ水または酸性水の水滴の混合体を蒸気圧により洗浄物へ噴射する噴射口とを備え、前記蒸発室の容積を、前記電気ヒータにより蒸発できる水の質量体積以下にしたので、水滴の衝撃力による洗浄作用と電解水の化学反応作用の両者を一度に発揮させることができるため、タンパク質や糖分の汚れが硬化して洗浄が困難になるという不具合を解消し、さらに水が蒸発するときに流路に付着するスケール類を溶かし流路が詰まることも防止し、高い洗浄効果および高い殺菌効果を得ることがでるとともに、容器により水の供給を行うので場所を選ばずにどこにでも持ち運びでき、洗浄作業の利便性の高い洗浄装置を得ることができる。
また、前記容器に、水を収容する中性水入れ室とアルカリ水または酸性水を回収する電解水入れ室を形成し、前記中性水入れ室と前記ポンプを接続し、前記電解水排出流路の他方を前記電解水入れ室と接続させたので、電気分解装置で生成された洗浄に使用しない電解水を貯めておけるので、携帯型の洗浄装置を可能とする。
【００７２】
また、前記容器に前記電解水排出流路の他方を接続させたので、電気分解装置で生成された洗浄に使用しない電解水を貯めておく容器のスペースを必要とせず、洗浄装置を小型化とし、さらに洗浄終了時に洗浄に使用しない電解水の排水する手間も要らず使い勝手の良い洗浄装置を得ることができる。
【００７３】
また、前記電気分解装置の上流側に、塩を混合した多孔質体で構成する塩供給装置を配設したので、電気分解の効率を高めることができる。
【００７４】
また、前記電気分解装置の電気分解電極間の電圧極性を制御する電気分解用電源制御装置を備え、前記電気分解用電源制御装置のスイッチ切り替えにより電圧極性を制御し、アルカリ水または酸性水または中性水の生成を選択可能としたので、電気分解用電源制御装置のスイッチ切り替えで、汚れ成分に合わせた洗浄を行なうことができ、使い勝手の良い洗浄装置を得ることができる。
【００７５】
また、前記容器と前記電解水排出流路の他方とを接続し、前記電気分解装置の電気分解電極間の電圧極性を制御する電気分解用電源制御装置を備え、前記電気分解用電源制御装置のスイッチ切り替えにより電圧極性を制御し、アルカリ水または酸性水または中性水の生成を選択可能とし、前記電気分解用電源制御装置のスイッチの切り替えによりアルカリ水または酸性水が生成されるときの電気分解用電源制御装置のスイッチ切り替えは、各々所定時間ずつ連続して行なうので、容器の中に酸性水とアルカリ水が同量づつ交互に入り、容器内のｐＨを中性付近を保つことができ、電気分解装置により生成される電解水のｐＨを安定させることができる。
【００７６】
また、外槽内に洗濯兼脱水槽と攪拌翼を有し、前記洗濯兼脱水槽内に洗濯物を投入し、洗濯兼脱水槽内に給水を行い攪拌翼を回転させて洗濯物の洗濯洗浄を行なうものであって、上記の洗浄装置を備え、前記噴射口から噴射される蒸気とアルカリ水または酸性水の水滴を前記洗濯兼脱水槽内に噴射させるので、アルカリ水を洗濯物に浸透させて洗濯を行うことで洗濯物の汚れの落ちが良くなり、酸性水により除菌を行なうこともでき、洗浄および除菌効果の高い洗濯を行なうことができる。
【００７７】
また、前記噴射口よりアルカリ水または酸性水の水滴の散布は、前記洗濯脱水槽を回転させながら行なうので、アルカリ水または酸性水が洗濯物に満遍なく散布され、洗濯物の汚れに効率よく浸透させることができ、高い洗浄力または殺菌力を得ることができる。
【００７８】
また、前記噴射口より噴射される蒸気とアルカリ水または酸性水の水滴を前記洗濯脱水槽内に投入される洗濯物に散布し、その後洗濯脱水槽内に給水を行い前記攪拌翼を回転して洗濯物の洗濯洗浄を行なうので、アルカリ水または酸性水の水滴が水で薄められることなく洗濯物の汚れに浸透させることができ、高い洗浄力または殺菌力を得ることができる。
【００７９】
また、食器類を洗浄する洗浄槽と、前記洗浄水を噴射する噴射ノズルとを有し、前記洗浄水を前記噴射ノズルから前記食器類に噴射させて洗浄を行なうものであって、上記の洗浄装置を備え、前記噴射口から噴射される蒸気とアルカリ水または酸性水の水滴を前記洗浄槽内に噴射させるので、アルカリ水を食器類に散布することで汚れの落ちが良くなり、酸性水により除菌を行なうこともでき、洗浄および除菌効果の高い食器洗浄を行なうことができる。
【００８０】
また、前記噴射口より噴射される蒸気とアルカリ水または酸性水の水滴を前記洗浄槽内の食器類に散布し、その後前記噴射ノズルから洗浄水を噴射して食器類の洗浄を行なうので、アルカリ水または酸性水を満遍なく食器類に散布させることができ、汚れの落ちが良く、除菌を行なうこともでき、洗浄および除菌効果の高い食器洗浄を行なうことができる。
【図面の簡単な説明】
【図１】  この発明の実施の形態１である洗浄装置を示す構成概略図である。
【図２】  この発明の実施の形態１である洗浄装置を示す電気加熱ボイラーの要部横断面図である。
【図３】  この発明の実施の形態１である洗浄装置を示す電気分解装置の断面図である。
【図４】  この発明の実施の形態１である洗浄装置を示す電気分解装置の洗浄力特性図である。
【図５】  この発明の実施の形態１である洗浄装置を示すアルカリ水の加熱濃縮試験による
【図６】  この発明の実施の形態１である洗浄装置を示すアルカリ水の加熱濃縮試験方法説明図である。
【図７】  この発明の実施の形態１である洗浄装置を示す電気加熱ボイラーの断面図である。
【図８】  この発明の実施の形態２である洗浄装置を示す概略構成断面図である。
【図９】  この発明の実施の形態２である洗浄装置を示す断面図である。
【図１０】  この発明の実施の形態２である洗浄装置を示す概略構成断面図である。
【図１１】  この発明の実施の形態３である洗浄装置を示す断面図である。
【図１２】  この発明の実施の形態４である洗浄装置を示す断面図である。
【図１３】  この発明の実施の形態５である洗浄装置を示す構成概略図である。
【図１４】  この発明の実施の形態５である洗浄装置を示す構成概略図である。
【図１５】  この発明の実施の形態６である洗浄装置を示す構成概略図である。
【図１６】  従来の洗浄装置を示す側面図である。
【図１７】  従来の洗浄装置を示す側断面図である。
【図１８】  従来の洗浄装置を示す要部側断面図である。
【符号の説明】
１  電気加熱ボイラー、２  電源、３  噴出口、４  電気分解装置、５  電解水排出流路Ａ、６  電解水排出流路Ｂ、７  ポンプ排出流路、８  ポンプ、９  給水流路、１０  ボイラーフレーム、１１  電気ヒータ、１２  蒸発室、１３  電極Ａ、１４  電極Ｂ、１５  電極Ａ側流路、１６  電極Ｂ側流路、１７  電源線Ａ、１８  電源線Ｂ、２０  アルカリ水、２１  容器、２２  バーナー、２３
アルカリ水、２４  水、２５  水滴。
【図１】
0004264798.tif 000002
【図２】
0004264798.tif 000003
【図３】
0004264798.tif 000004
【図４】
0004264798.tif 000005
【図５】
0004264798.tif 000006
【図６】
0004264798.tif 000007
【図７】
0004264798.tif 000008
【図８】
0004264798.tif 000009
【図９】
0004264798.tif 000010
【図１０】
0004264798.tif 000011
【図１１】
0004264798.tif 000012
【図１２】
0004264798.tif 000013
【図１３】
0004264798.tif 000014
【図１４】
0004264798.tif 000015
【図１５】
0004264798.tif 000016
【図１６】
0004264798.tif 000017
【図１７】
0004264798.tif 000018
【図１８】
0004264798.tif 000019